(57)【要約】【課題】視野角を制御しながら応答速度が低下するのを抑制することが可能な液晶表示装置を提供する。【解決手段】この液晶表示装置１００は、行列状に配置された平面的に見て略矩形状を有する表示用副画素１ａ、１ｂ、１ｃおよび視野角制御用副画素１ｄを含む画素１を備える。視野角制御用副画素１ｄと、視野角制御用副画素１ｄとＹ方向において隣接する表示用副画素１ａとは、それ以外の表示用副画素１ｂおよび１ｃよりも面積が大きくなるように構成され、表示用副画素１ａは、最も視感度が高い色以外の色に対応するように構成されている。【選択図】図２
2010164728.tif 000002
【特許請求の範囲】
【請求項１】
複数行および複数列からなる行列状に配置され、各々が平面的に見て矩形状を有する複
数の副画素を含むとともに、外周形状が矩形状に構成された画素を備え、
前記複数の副画素は、異なる色に対応する複数の表示用副画素と、視野角を制御する視
野角制御用副画素とを含み、
前記複数の副画素のうち、所定の行および列に配置された前記視野角制御用副画素と、
前記視野角制御用副画素が配置された行および列の少なくとも一方に配置された前記表示
用副画素とは、前記視野角制御用副画素が配置された行および列以外に配置された前記表
示用副画素よりも面積が大きくなるように構成され、
前記面積が大きくなる表示用副画素は、最も視感度が高い色以外の色に対応するように
構成されている、液晶表示装置。
【請求項２】
外周形状が矩形状に形成された各々の前記画素は、赤色、緑色および青色の表示にそれ
ぞれ対応する前記表示用副画素と、前記視野角制御用副画素とからなる略矩形状の４つの
前記副画素から構成され、
前記４つの副画素は、２行２列の行列状に配置されているとともに、前記面積が大きく
なる表示用副画素は、赤色または青色の少なくとも一方である、請求項１に記載の液晶表
示装置。
【請求項３】
前記面積が大きくなる視野角制御用副画素および前記面積が大きくなる表示用副画素を
含む４つの前記副画素は、平面的に見て、互いに隣接する辺が同じ長さになるとともに、
前記副画素間の境界は一直線上に延びるように構成されている、請求項２に記載の液晶表
示装置。
【請求項４】
前記面積が大きくなる視野角制御用副画素および前記面積が大きくなる表示用副画素を
含む４つの前記副画素にそれぞれ設けられる画素トランジスタと、
前記画素トランジスタのゲートに接続されるとともに、平面的に見て前記副画素の行方
向に沿って延びるように複数設けられたゲート線と、
前記ゲート線と略直交するとともに、平面的に見て前記副画素の列方向に沿って延びる
ように複数設けられ、前記画素トランジスタを介して前記表示用副画素に映像信号を供給
する信号線とをさらに備え、
前記信号線および前記ゲート線は、それぞれ、前記画素間の境界および前記副画素間の
境界に沿って一直線状に延びるように設けられている、請求項３に記載の液晶表示装置。
【請求項５】
平面的に見て、前記視野角制御用副画素と、列方向において前記視野角制御用副画素に
隣接する赤色または青色の前記表示用副画素とは、緑色の前記表示用副画素に比べて行方
向に沿った長さが長くなるように構成されていることにより、前記緑色の表示用副画素よ
りも面積が大きくなるように構成されている、請求項２〜４のいずれか１項に記載の液晶
表示装置。
【請求項６】
平面的に見て、前記視野角制御用副画素と、行方向において前記視野角制御用副画素に
隣接する赤色または青色の前記表示用副画素とは、緑色の前記表示用副画素に比べて列方
向に沿った長さが長くなるように構成されていることにより、前記緑色の表示用副画素よ
りも面積が大きくなるように構成されている、請求項２〜４のいずれか１項に記載の液晶
表示装置。
【請求項７】
平面的に見て、赤色の前記表示画素および青色の前記表示画素は、それぞれ、前記視野
角制御用副画素に対して行方向および列方向において隣接するように構成され、
列方向において前記視野角制御用副画素に隣接する赤色または青色の一方の前記表示用
副画素は、前記緑色の表示用副画素に比べて行方向に沿った長さが長くなるとともに、行
方向において前記視野角制御用副画素に隣接する赤色または青色の他方の前記表示用副画
素は、緑色の前記表示用副画素に比べて列方向に沿った長さが長くなることにより、前記
緑色の表示用副画素の面積よりも前記赤色および青色の表示用画素の両方の面積が大きく
なるように構成されている、請求項２〜４のいずれか１項に記載の液晶表示装置。
【請求項８】
互いに対向するように設けられるとともに、前記表示用副画素および前記視野角制御用
副画素が形成される第１基板および第２基板と、
前記第１基板上に形成された共通電極と、
前記共通電極上に絶縁膜を介して対向するように配置され、前記表示用副画素および前
記視野角制御用副画素にそれぞれ設けられるとともに、複数のスリットを含む画素電極と
を備え、
前記表示用副画素に対応する画素電極のスリットと、前記視野角制御用副画素に対応す
る画素電極のスリットとは、平面的に見て、前記スリットの延びる方向が異なるように構
成されている、請求項１〜７のいずれか１項に記載の液晶表示装置。
【請求項９】
互いに対向するように設けられるとともに、前記表示用副画素および前記視野角制御用
副画素が形成される第１基板および第２基板と、
前記第１基板上の前記表示用副画素が形成される領域に形成された第１共通電極と、
前記第１共通電極上に絶縁膜を介して対向するように配置され、複数のスリットを含む
第１画素電極と、
前記第１基板上の前記視野角制御用副画素が形成される領域に形成された第２画素電極
と、
前記第２基板上の前記視野角制御用副画素が形成される領域に、前記第２画素電極に対
向するように配置された第２共通電極とを備える、請求項１〜７のいずれか１項に記載の
液晶表示装置。
【請求項１０】
請求項１〜９のいずれか１項に記載の液晶表示装置を備えた、電子機器。
【発明の詳細な説明】
【技術分野】
【０００１】
本発明は、液晶表示装置および電子機器に関し、特に、表示用副画素と視野角制御用副
画素とを含む液晶表示装置および電子機器に関する。
【背景技術】
【０００２】
従来、各々の画素が表示用副画素と視野角を制御する視野角制御用副画素とから構成さ
れた液晶表示装置が開示されている（たとえば、特許文献１）。
【０００３】
上記特許文献１には、各々の画素が、赤色（Ｒ）緑色（Ｇ）および青色（Ｂ）の表示に
それぞれ対応した表示用副画素と視野角を制御するための視野角制御用副画素（Ｗ）とに
より構成された液晶表示装置が開示されている。上記特許文献１に記載の液晶表示装置で
は、各画素は、緑色（Ｇ）および青色（Ｂ）にそれぞれ対応する表示用副画素が視野角制
御用副画素（Ｗ）に隣接するようにして２行２列の行列状に配置されているとともに、各
副画素毎に、格子状に配置された信号線およびゲート線によって囲まれるように構成され
ている。そして、表示用副画素から出射する有色光（画像）に視野角制御用副画素から出
射する光が重なることによって画像のコントラストが低下するように構成されている。こ
れにより、ユーザが表示画面を斜めから見た際には、表示画像のコントラストが低下して
いることにより画像が認識できないように構成されている。すなわち、視野角が狭くなる
ように制御されている。
【先行技術文献】
【特許文献】
【０００４】
【特許文献１】特開２００７−７９５２５号公報
【発明の概要】
【発明が解決しようとする課題】
【０００５】
上記特許文献１に開示された液晶表示装置では、たとえば視野角制御用副画素の面積を
より大きくすることにより、その分、視野角制御の精度をより向上することが可能である
と考えられる。しかしながら、この場合、視野角制御用副画素の面積のみが大きくなるた
め、各副画素の縁部分に沿って延びるように形成されたゲート線および信号線は、平面的
に見て一直線状に形成されることなく面積が大きくなった視野角制御用副画素の形状に沿
って屈曲した形状となる。このため、ゲート線および信号線が屈曲した形状となる部分の
抵抗が大きくなるため、その分、応答速度が低下するという問題点がある。
【０００６】
この発明は、上記のような課題を解決するためになされたものであり、この発明の１つ
の目的は、視野角を制御しながら応答速度が低下するのを抑制することが可能な液晶表示
装置および電子機器を提供することである。
【課題を解決するための手段および発明の効果】
【０００７】
この発明の第１の局面による液晶表示装置は、複数行および複数列からなる行列状に配
置され、各々が平面的に見て矩形状を有する複数の副画素を含むとともに、外周形状が矩
形状に構成された画素を備え、複数の副画素は、異なる色に対応する複数の表示用副画素
と、視野角の範囲を制御する視野角制御用副画素とを含み、複数の副画素のうち、所定の
行および列に配置された視野角制御用副画素と、視野角制御用副画素が配置された行およ
び列の少なくとも一方に配置された表示用副画素とは、視野角制御用副画素が配置された
行および列以外に配置された表示用副画素よりも面積が大きくなるように構成され、面積
が大きくなる表示用副画素は、最も視感度が高い色以外の色に対応するように構成されて
いる。
【０００８】
上記第１の局面による液晶表示装置では、上記のように、視野角制御用副画素が配置さ
れた行および列以外に配置された表示用副画素よりも視野角制御用副画素の面積を大きく
することによって、その分、より視野角の制御の精度を向上させることができる。また、
視野角制御用副画素の面積とともに、視野角制御用副画素が配置された行および列の少な
くとも一方に配置された表示用副画素の面積を、視野角制御用副画素が配置された行およ
び列以外に配置された表示用副画素よりも大きくするように構成することによって、視野
角制御用副画素のみの面積を大きくした場合に平面的に見て画素の外周形状が突出形状を
含む形状になるのと異なり、画素の外周形状を矩形状に構成することができる。これによ
り、画素の外周に沿って伸びるようにゲート線および信号線を設けた場合に、ゲート線お
よび信号線を突出形状に沿って屈曲状に形成することなく、一直線状に形成することがで
きる。したがって、ゲート線および信号線を突出形状に形成した場合に比べてゲート線お
よび信号線の抵抗を小さくすることができるので、その分、応答速度が低下するのを抑制
することができる。また、視野角制御用副画素とともに面積を大きくする表示用副画素を
、最も視感度が高い色以外の色に対応するように構成することによって、面積を大きくし
た表示用副画素は、最も視感度が高い色に比べて視感度が低くなるので、面積を大きくし
たとしても、視野角の制御性が低下するのを抑制することができる。また、視感度が最も
高くない色を面積の大きい表示用副画素により表示させるので、面積を大きくした表示用
副画素に最も視感度が高い色を対応させる場合に比べて全体的な色のバランスが崩れるの
を抑制することができる。
【０００９】
上記第１の局面による液晶表示装置において、好ましくは、外周形状が矩形状に形成さ
れた各々の画素は、赤色、緑色および青色の表示にそれぞれ対応する表示用副画素と、視
野角制御用副画素とからなる矩形状の４つの副画素から構成され、４つの副画素は、２行
２列の行列状に配置されているとともに、面積が大きくなる表示用副画素は、赤色または
青色の少なくとも一方である。このように構成すれば、赤色、緑色および青色に対応する
３色の表示用副画素と視野角制御用副画素とにより構成される液晶表示装置において、視
野角を確実に調整しながら応答速度が低下するのを抑制することができる。
【００１０】
この場合、好ましくは、面積が大きくなる視野角制御用副画素および面積が大きくなる
表示用副画素を含む４つの副画素は、平面的に見て、互いに隣接する辺が同じ長さになる
とともに、副画素間の境界は一直線上に延びるように構成されている。このように構成す
れば、視野角制御用副画素と赤色または青色の少なくとも一方の表示用副画素との面積を
大きくした場合にも、副画素間の境界線上にゲート線および信号線を設ける場合に、ゲー
ト線および信号線を容易に一直線状に形成することができるので、確実にゲート線および
信号線の抵抗をより小さくすることができる。
【００１１】
上記副画素間の境界線が一直線状に延びる構成において、好ましくは、面積が大きくな
る視野角制御用副画素および面積が大きくなる表示用副画素を含む４つの副画素にそれぞ
れ設けられる画素トランジスタと、画素トランジスタのゲートに接続されるとともに、平
面的に見て副画素の行方向に沿って延びるように複数設けられたゲート線と、ゲート線と
略直交するとともに、平面的に見て副画素の列方向に沿って延びるように複数設けられ、
画素トランジスタを介して表示用副画素に映像信号を供給する信号線とをさらに備え、信
号線およびゲート線は、それぞれ、画素間の境界および副画素間の境界に沿って一直線状
に延びるように設けられている。このように構成すれば、視野角制御用副画素と赤色また
は青色の少なくとも一方の表示用副画素との面積を大きくした場合にも、画素間および副
画素間の両方の境界に沿って、容易にゲート線および信号線を一直線状に形成することが
できるので、容易にゲート線および信号線の抵抗をより小さくすることができる。
【００１２】
上記第１の局面による液晶表示装置において、好ましくは、平面的に見て、視野角制御
用副画素と、列方向において視野角制御用副画素に隣接する赤色または青色の表示用副画
素とは、緑色の表示用副画素に比べて行方向に沿った長さが長くなるように構成されてい
ることにより、緑色の表示用副画素よりも面積が大きくなるように構成されている。この
ように構成すれば、視野角制御用副画素の行方向に沿った長さを長くする際に、視野角制
御用副画素とともに視野角制御用に列方向において隣接する表示用副画素の行方向に沿っ
た長さも長くするので、画素の外周形状を矩形状に保った状態で視野角制御用副画素の面
積を大きくすることができる。
【００１３】
上記第１の局面による液晶表示装置において、好ましくは、平面的に見て、視野角制御
用副画素と、行方向において視野角制御用副画素に隣接する赤色または青色の表示用副画
素とは、緑色の表示用副画素に比べて列方向に沿った長さが長くなるように構成されてい
ることにより、緑色の表示用副画素よりも面積が大きくなるように構成されている。この
ように構成すれば、視野角制御用副画素の列方向に沿った長さを長くする際に、視野角制
御用副画素とともに視野角制御用に行方向において隣接する表示用副画素の列方向に沿っ
た長さも長くするので、画素の外周形状を矩形状に保った状態で視野角制御用副画素の面
積を大きくすることができる。
【００１４】
上記第１の局面による液晶表示装置において、好ましくは、平面的に見て、赤色の表示
画素および青色の表示画素は、それぞれ、視野角制御用副画素に対して行方向および列方
向において隣接するように構成され、列方向において視野角制御用副画素に隣接する赤色
または青色の一方の表示用副画素は、緑色の表示用副画素に比べて行方向に沿った長さが
長くなるとともに、行方向において視野角制御用副画素に隣接する赤色または青色の他方
の表示用副画素は、緑色の表示用副画素に比べて列方向に沿った長さが長くなることによ
り、緑色の表示用副画素の面積よりも赤色および青色の表示用画素の両方の面積が大きく
なるように構成されている。このように構成すれば、視野角制御用副画素の行方向および
列方向に沿った長さを長くする際に、視野角制御用副画素に隣接する赤色および青色の表
示用副画素の行方向に沿った長さおよび列方向に沿った長さもそれぞれ長くするので、画
素の外周形状を矩形状に保った状態で視野角制御用副画素の面積を大きくすることができ
る。また、この場合、緑色の表示用副画素の面積よりも赤色および青色の両方の表示用副
画素の面積を大きくすることにより視野角の制御性の低下を抑制し、かつ、全体的な色の
バランスが崩れるのを確実に抑制することができる。
【００１５】
上記第１の局面による液晶表示装置において、好ましくは、互いに対向するように設け
られるとともに、表示用副画素および視野角制御用副画素が形成される第１基板および第
２基板と、第１基板上に形成された共通電極と、共通電極上に絶縁膜を介して対向するよ
うに配置され、表示用副画素および視野角制御用副画素にそれぞれ設けられるとともに、
複数のスリットを含む画素電極とを備え、表示用副画素に対応する画素電極のスリットと
、視野角制御用副画素に対応する画素電極のスリットとは、平面的に見て、スリットの延
びる方向が異なるように構成されている。このように構成すれば、絶縁膜を介して共通電
極と画素電極とを備えた横電界型の駆動方式による表示用副画素および視野角制御用副画
素によって、視野角を調整しながら応答速度の低下を抑制することが可能な液晶表示装置
を構成することができる。
【００１６】
上記第１の局面による液晶表示装置において、好ましくは、互いに対向するように設け
られるとともに、表示用副画素および視野角制御用副画素が形成される第１基板および第
２基板と、第１基板上の表示用副画素が形成される領域に形成された第１共通電極と、第
１共通電極上に絶縁膜を介して対向するように配置され、複数のスリットを含む第１画素
電極と、第１基板上の視野角制御用副画素が形成される領域に形成された第２画素電極と
、第２基板上の視野角制御用副画素が形成される領域に、第２画素電極に対向するように
配置された第２共通電極とを備える。このように構成すれば、横電界型の駆動方式による
表示用副画素と、第１基板上の画素電極と第２基板上の共通電極とを備えた縦電界型の駆
動方式による視野角制御用副画素との組み合わせにより、視野角の制御を行いながら応答
速度の低下を抑制することが可能な液晶表示装置を構成することができる。
【００１７】
この発明の第２の局面による電子機器は、上記した構成を有する液晶表示装置を備える
。このように構成すれば、視野角を制御しつつ、応答性が低下するのを抑制することが可
能な液晶表示装置を含む電子機器を得ることができる。
【図面の簡単な説明】
【００１８】
【図１】本発明の第１実施形態による液晶表示装置の表示部の平面図である。
【図２】本発明の第１実施形態による液晶表示装置の画素の構成について説明するための拡大平面図である。
【図３】本発明の第１実施形態による液晶表示装置の平面図である。
【図４】図３に示す６０−６０線に沿った断面図である。
【図５】本発明の第２実施形態による液晶表示装置の画素の構成について説明するための拡大平面図である。
【図６】本発明の第２実施形態による液晶表示装置の平面図である。
【図７】図６に示す２６０−２６０線に沿った断面図である。
【図８】本発明の第３実施形態による液晶表示装置の画素の構成について説明するための拡大平面図である。
【図９】本発明の第３実施形態による液晶表示装置の平面図である。
【図１０】本発明の第４実施形態による液晶表示装置の断面図である。
【図１１】本発明の第５実施形態による液晶表示装置の断面図である。
【図１２】本発明の第６実施形態において、第１〜第５実施形態による液晶表示装置を備えた電子機器について説明するための平面図である。
【図１３】本発明の第６実施形態において、第１〜第５実施形態による液晶表示装置を備えた電子機器について説明するための平面図である。
【発明を実施するための形態】
【００１９】
以下、本発明の実施形態を図面に基づいて説明する。
【００２０】
（第１実施形態）
図１〜図４を参照して、本発明の第１実施形態による液晶表示装置１００の構成につい
て説明する。
【００２１】
本発明の第１実施形態による液晶表示装置１００の表示部１００ａには、図１に示すよ
うに、マトリクス状に複数の画素１が設けられている。
【００２２】
各画素１は、図２に示すように、赤色（Ｒ）、緑色（Ｇ）および青色（Ｂ）の表示にそ
れぞれ対応する表示用副画素１ａ、１ｂおよび１ｃと、表示部１００ａにより表示される
画像の視野角の範囲を制御するための透明または白色光を出射する視野角制御用副画素１
ｄ（Ｗ）とからなる矩形状の４つの副画素により構成されている。画素１を構成する矩形
状の表示用副画素１ａ、１ｂおよび１ｃと視野角制御用副画素１ｄとは２行２列の行列状
に配置されており、画素１の外周形状は矩形状になるように構成されている。
【００２３】
ここで、第１実施形態では、平面的に見て、表示用副画素１ａ、１ｂおよび１ｃと、視
野角制御用副画素１ｄとのＹ方向（列方向）の長さＬは、それぞれ、同じ長さになるよう
に構成されている。一方で、視野角制御用副画素１ｄ、および、視野角制御用副画素１ｄ
のＸ方向（行方向）に沿った辺に隣接する表示用副画素１ａ（Ｒ）におけるＸ方向（行方
向）の幅Ｗ１は、それ以外の表示用副画素１ｂおよび１ｃにおけるＸ方向（行方向）の幅
Ｗ２よりも長くなるように構成されている。なお、幅Ｗ２は最大で幅Ｗ１の約２倍程度長
くなるように構成されている。これにより、各副画素は、互いに隣接する辺がそれぞれ同
じ長さであるとともに、各副画素間の境界線（図２の５０−５０線）が一直線状に延びる
ように配置される構成となる。また、画素１の外周形状も平面的に見て矩形状となる。そ
して、表示用副画素１ａと視野角制御用副画素１ｄとのＸ方向（行方向）の幅が長くなる
分、表示用副画素１ａと視野角制御用副画素１ｄとの面積が表示用副画素１ｂおよび１ｃ
の面積よりも大きくなるように構成されている。
【００２４】
また、第１実施形態では、視野角制御用副画素１ｄとともに面積が表示用副画素１ｂお
よび１ｃよりも大きくなる表示用副画素１ａ（視野角制御用副画素１ｄと同じ列に配置さ
れた表示用副画素）は、最も視感度が高い色以外の色に対応するように構成されている。
具体的には、第１実施形態では、３つの表示用副画素は、それぞれ赤色（Ｒ）、緑色（Ｇ
）および青色（Ｂ）に対応するとともに、面積が表示用副画素１ｂおよび１ｃよりも大き
くなる表示用副画素１ａに視感度が最も高い緑色（Ｇ）以外の色（第１実施形態では赤色
）を対応させるように構成されている。
【００２５】
また、図３に示すように、平面的に見て、副画素の１行毎に、Ｘ方向（行方向）に沿っ
て一直線状に延びるようにゲート線２が複数形成されている。また、副画素の１列毎に、
Ｙ方向（列方向）に沿って一直線状に延びるように信号線３が複数形成されている。
【００２６】
次に、画素１の詳細な構成を説明する。図３および図４（図３における６０−６０線に
沿った断面図）に示すように、第１基板１０上にゲート電極１１および共通電極１２が形
成されているとともに、ゲート電極１１および共通電極１２の表面上には、ＳｉＮなどか
らなる絶縁膜１３が形成されている。各副画素のゲート電極１１は、それぞれ対応するゲ
ート線２に電気的に接続されている。絶縁膜１３は、後述する画素トランジスタ１７のゲ
ート絶縁膜としての機能を有する。ゲート電極１１上には、絶縁膜１３を介してアモルフ
ァスシリコン（ａ−Ｓｉ）からなる半導体層１４が形成されている。半導体層１４は、下
層のａ−Ｓｉ層と、上層のｎ型の導電性を有するｎ＋Ｓｉ層との２層構造からなるように
構成されている。なお、半導体層１４の上層のｎ＋Ｓｉ層はキャリアの転送効率を上げる
ために形成されている。
【００２７】
半導体層１４の表面上には、平面的に見て半導体層１４と重なるようにソース電極１５
およびドレイン電極１６が形成されている。各副画素のソース電極１５は、それぞれ対応
する信号線３に電気的に接続されている。また、半導体層１４のソース電極１５とドレイ
ン電極１６とに挟まれる領域には、上層のｎ＋Ｓｉ層が除去されて下層のａ−Ｓｉ層によ
りチャネル領域が形成されている。以上により、ゲート電極１１、絶縁膜１３（ゲート絶
縁膜）、半導体層１４により画素トランジスタ１７が構成されている。ソース電極１５お
よびドレイン電極１６の表面上には、たとえばＳｉＮからなるパッシベーション膜１８が
形成されている。パッシベーション膜１８の表面上には、スリット１９ｂ（１９ｄ）を有
する画素電極１９ａ（１９ｃ）が形成されている。パッシベーション膜１８および画素電
極１９ａ（１９ｃ）を覆うように、配向膜（図示せず）が形成されている。
【００２８】
また、第２基板２０上には、第１基板１０上の画素トランジスタ１７が設けられた領域
に対応する位置に遮光膜（ブラックマトリクス）２１が形成されているとともに、各々の
表示用副画素１ａ、１ｂおよび１ｃに対応する領域には、それぞれ対応する色（図４では
青色（Ｂ））のカラーフィルタ２２が形成されている。なお、視野角制御用副画素１ｄに
対応する領域には、カラーフィルタ２２は形成されておらず、視野角制御用副画素１ｄを
駆動する際には第１基板１０側に設けられた光源（図示せず）からの光が透過するように
構成されている。遮光膜２１およびカラーフィルタ２２の表面上には、オーバーコート層
２３が形成されているとともに、オーバーコート層２３の表面上には、配向膜（図示せず
）が設けられている。また、第１基板１０と第２基板２０との間には液晶３０が充填され
ている。
【００２９】
ここで、第１実施形態では、４つの副画素（１ａ、１ｂ、１ｃおよび１ｄ）は、それぞ
れ、第１基板１０側に形成された共通電極１２および画素電極１９ａ（１９ｃ）間に発生
する電界の横方向成分（ＸおよびＹ方向）により液晶が駆動する横電界型の駆動方式（Ｆ
ＦＳ（Ｆｒｉｎｇｅ  Ｆｉｅｌｄ  Ｓｗｉｔｃｈｉｎｇ）モード）により構成されている
。
【００３０】
具体的には、図３に示すように、表示用副画素１ａ、１ｂおよび１ｃに対応する画素電
極１９ａに形成されたスリット１９ｂは、平面的に見て、Ｙ方向に延びるＶ字形状を有す
る一方で、視野角制御用副画素１ｄに対応する画素電極１９ｃに形成されたスリット１９
ｄは、Ｘ方向に一直線状に延びるように形成されている。これにより、表示用副画素１ａ
、１ｂおよび１ｃに対応する領域と視野角制御用副画素１ｄに対応する領域とには、それ
ぞれ異なる方向（横方向）の電界が発生し、表示用副画素１ａ、１ｂおよび１ｃに対応す
る領域と、視野角制御用副画素１ｄに対応する領域とにおける液晶分子（液晶３０）が、
それぞれ異なる方向（横方向）に駆動するように構成されている。
【００３１】
以上の構成により、視野角制御用副画素１ｄを動作しない場合には視野角が制御されず
、表示部１００ａに表示される表示画像が正面のみならず斜めからも認識可能となる。一
方で、視野角制御用副画素１ｄを動作する場合には、視野角制御用副画素１ｄから出射す
る光が各々の表示用副画素１ａ、１ｂおよび１ｃから出射する斜め方向の光（画像）と重
なり、斜め方向における画像のコントラストが低下する。そして、コントラストが低下し
た分、斜めから表示部１００ａを見た場合に表示部１００ａに表示される表示画像が認識
不可能となる（視野角が制御される）ように構成されている。
【００３２】
第１実施形態では、上記のように、表示用副画素１ｂおよび１ｃに比べて視野角制御用
副画素１ｄの面積を大きくすることによって、その分、より視野角の制御の精度を向上さ
せることができる。また、視野角制御用副画素１ｄの面積とともに、表示用副画素１ａの
面積を表示用副画素１ｂおよび１ｃよりも大きくするように構成することによって、視野
角制御用副画素１ｄのみの面積を大きくした場合に平面的に見て画素１の外周形状が突出
形状を含む形状になるのと異なり、画素１の外周形状を矩形状に構成することができる。
これにより、画素１の外周に沿って伸びるようにゲート線２および信号線３を設けた場合
に、ゲート線２および信号線３を突出形状に沿って屈曲状に形成することなく、一直線状
に形成することができる。したがって、ゲート線２および信号線３を突出形状に形成した
場合に比べてゲート線２および信号線３の抵抗を小さくすることができるので、その分、
応答速度が低下するのを抑制することができる。また、視野角制御用副画素１ｄとともに
面積を大きくする表示用副画素１ａを、最も視感度が高い緑色以外の色である赤色に対応
するように構成することによって、面積を大きくした表示用副画素１ａに最も視感度が高
い緑色を対応させる場合に比べて視感度が低くなるので、面積を大きくしたとしても、視
野角の制御性が低下するのを抑制することができる。また、視感度が最も高くない赤色を
面積の大きい表示用副画素１ａにより表示させるので、面積を大きくした表示用副画素１
ａに最も視感度が高い緑色を対応させる場合に比べて全体的な色のバランスが崩れるのを
抑制することができる。
【００３３】
また、上記第１実施形態では、外周形状が矩形状に形成された各々の画素１を、赤色、
緑色および青色の表示にそれぞれ対応する表示用副画素１ａ、１ｂおよび１ｃと、視野角
制御用副画素１ｄとからなる矩形状の４つの副画素から構成し、４つの副画素を２行２列
の行列状に配置するとともに、面積が大きくなる表示用副画素１ａに緑色以外の色である
赤色を対応させることによって、赤色、緑色および青色に対応する３色の表示用副画素１
ａ、１ｂおよび１ｃと視野角制御用副画素１ｄとにより構成される液晶表示装置１００に
おいて、視野角を確実に調整しながら応答速度が低下するのを抑制することができる。
【００３４】
また、上記第１実施形態では、面積が大きくなる視野角制御用副画素１ｄおよび表示用
副画素１ａを含む４つの副画素を、平面的に見て、互いに隣接する辺が同じ長さになるよ
うに構成するとともに、副画素間の境界は一直線上に延びるように構成することによって
、視野角制御用副画素１ｄと表示用副画素１ａとの面積を大きくした場合にも、副画素間
の境界線（５０−５０線）上にゲート線２および信号線３を設ける場合に、ゲート線２お
よび信号線３を容易に一直線状に形成することができるので、確実にゲート線２および信
号線３の抵抗をより小さくすることができる。
【００３５】
また、上記第１実施形態では、ゲート線２および信号線３を、それぞれ、副画素間の境
界に沿って一直線状に延びるように設けることによって、視野角制御用副画素１ｄと表示
用副画素１ａとの面積を大きくした場合にも、画素１間および副画素（１ａ、１ｂ、１ｃ
および１ｄ）間の両方の境界に沿って、容易にゲート線２および信号線３を一直線状に形
成することができる。したがって、容易にゲート線２および信号線３の抵抗をより小さく
することができる。
【００３６】
また、上記第１実施形態では、平面的に見て、視野角制御用副画素１ｄと視野角制御用
１ｄにＹ方向において隣接する表示用副画素１ａとを、緑色の表示用副画素１ｂに比べて
Ｘ方向に沿った長さを長くすることにより、表示用副画素１ｂよりも面積が大きくなるよ
うに構成することによって、視野角制御用副画素１ｄとともに表示用副画素１ａのＸ方向
に沿った長さも長くするので、画素１の外周形状を矩形状に保った状態で視野角制御用副
画素１ｄの面積を大きくすることができる。
【００３７】
また、上記第１実施形態では、表示用副画素１ａ、１ｂおよび１ｃに対応する画素電極
１９ａのスリット１９ｂと、視野角制御用副画素１ｄに対応する画素電極１９ｃのスリッ
ト１９ｄとの延びる方向が互いに異なるように構成する。これによって、表示用副画素１
ａ、１ｂおよび１ｃと視野角制御用副画素１ｄとが横電界型の駆動方式である構成におい
て、視野角を調整しながら応答速度の低下を抑制することができる。
【００３８】
（第２実施形態）
第２実施形態では、図５〜図７を参照して、表示用副画素１ａおよび視野角用制御画素
１ｄのＸ方向に沿った長さ（幅Ｗ１）を長くする例を示した第１実施形態とは異なり、表
示用副画素２０１ｃおよび視野角用制御画素２０１ｄのＹ方向に沿った長さを長くする例
について説明する。
【００３９】
第２実施形態における液晶表示装置２００は、図５および図６に示すように、表示用副
画素２０１ａ、２０１ｂおよび２０１ｃと、視野角制御用副画素２０１ｄとのＸ方向（行
方向）の幅Ｗは、それぞれ、略同じ長さになるように構成されている。一方で、視野角制
御用副画素２０１ｄと、視野角制御用副画素２０１ｄのＹ方向（列方向）に沿った辺に隣
接する表示用副画素２０１ｃ（Ｂ）とにおけるＹ方向（列方向）の長さＬ１は、表示用副
画素２０１ａおよび２０１ｂにおけるＹ方向（列方向）の長さＬ２よりも長くなるように
構成されている。これにより、各副画素は、互いに隣接する辺がそれぞれ同じ長さである
とともに、各副画素間の境界線（図５の２５０−２５０線）が一直線状に延びるように配
置される構成となる。そして、表示用副画素２０１ｃおよび視野角制御用副画素２０１ｄ
のＹ方向（列方向）の長さが長くなる分、表示用副画素２０１ｃおよび視野角制御用副画
素２０１ｄの面積が表示用副画素２０１ａおよび２０１ｂの面積よりも大きくなるように
構成されている。
【００４０】
また、図６および図７（図６の２６０−２６０線に沿った断面図）に示すように、表示
用副画素２０１ａ、２０１ｂおよび２０１ｃにおいては、第１基板１０上に共通電極２１
２ａが形成されているとともに、共通電極２１２ａ上に絶縁膜１３を介してスリット２１
９ｂを有する画素電極２１９ａが形成されている。画素電極２１９ａおよび共通電極２１
２ａは、それぞれ、本発明の「第１画素電極」および「第１共通電極」の一例である。一
方、視野角制御用副画素２０１ｄにおいては、第１基板１０上に画素電極２１９ｃが形成
されているとともに、第２基板２０上に画素電極２１９ｃに対向するように共通電極２１
２ｂが形成されている。画素電極２１９ｃおよび共通電極２１２ｂは、それぞれ、本発明
の「第２画素電極」および「第２共通電極」の一例である。
【００４１】
ここで、第２実施形態では、表示用副画素２０１ａ、２０１ｂおよび２０１ｃは、横電
界型の駆動方式の構成（ＦＦＳモード）である一方で、視野角制御用副画素２０１ｄは、
第１基板１０上の画素電極２１９ｃと第２基板２０上の共通電極２１２ｂとにより発生す
る縦方向の電界により液晶が駆動する縦電界型の駆動方式により構成されている。縦電界
型の駆動方式の一例として、０度配向のＥＣＢモードまたはＶＡモードなどの直線偏光を
利用した駆動方式のものが適用可能である。
【００４２】
なお、第２実施形態のその他の構成は第１実施形態と同様である。
【００４３】
第２実施形態では、上記のように、表示用副画素２０１ｃおよび視野角用制御画素２０
１ｄのＹ方向に沿った長さを大きくする場合においても、面積が大きくなる表示用副画素
２０１ｃに視感度が最も高い緑色以外の青色を対応させることにより、視野角を制御しな
がら応答速度の低下を抑制することができる。
【００４４】
また、上記第２実施形態では、平面的に見て、視野角制御用副画素２０１ｄと視野角制
御用副画素２０１ｄのＹ方向に沿った辺に隣接する表示用副画素２０１ｃとを、緑色の表
示用副画素２０１ｂに比べてＹ方向に沿った長さを長くすることにより、緑色の表示用副
画素２０１ｂよりも面積が大きくなるように構成することによって、視野角制御用副画素
２０１ｄのＹ方向に沿った長さを長くする際に、表示用副画素２０１ｃのＹ方向に沿った
長さも長くするので、画素１の外周形状を矩形状に保った状態で視野角制御用副画素２０
１ｄの面積を大きくすることができる。
【００４５】
また、上記第２実施形態では、横電界型の駆動方式による表示用副画素２０１ａ、２０
１ｂおよび２０１ｃと、縦電界型の駆動方式による視野角制御用副画素２０１ｄとの組み
合わせにおいても、視野角の制御を行いながら応答速度の低下を抑制することが可能な液
晶表示装置２００を構成することができる。
【００４６】
なお、第２実施形態のその他の効果は、第１実施形態と同様である。
【００４７】
（第３実施形態）
第３実施形態では、図８および図９を参照して、視野角制御用副画素３０１ｄと、視野
角制御用副画素３０１ｄに隣接する表示用副画素３０１ａおよび３０１ｃとにおけるＸ方
向およびＹ方向に沿った長さをそれぞれ長くする例について説明する。
【００４８】
第３実施形態における液晶表示装置３００は、図８および図９に示すように、視野角制
御用副画素３０１ｄと、視野角制御用副画素３０１ｄのＸ方向に沿った辺に隣接する表示
用副画素３０１ａ（Ｒ）とのＸ方向の幅Ｗ３は、表示用副画素３０１ｂおよび３０１ｃの
Ｘ方向の幅Ｗ４よりも長くなるように構成されている。また、視野角制御用副画素３０１
ｄと、視野角制御用副画素３０１ｄのＹ方向に沿った辺に隣接する表示用副画素３０１ｃ
（Ｂ）とにおけるＹ方向の長さＬ３は、表示用副画素３０１ａおよび３０１ｂにおけるＹ
方向の長さＬ４よりも長くなるように構成されている。そして、各副画素は、互いに隣接
する辺がそれぞれ略同じ長さであるとともに、各副画素間の境界線（図８の３５０−３５
０線）が一直線状に延びるように配置される構成となる。これにより、表示用副画素３０
１ａおよび３０１ｃと視野角制御用副画素３０１ｄとの面積が、表示用副画素３０１ｂの
面積よりも大きくなるように構成されている。つまり、表示用副画素３０１ｂの面積が最
も小さくなるように構成されている。
【００４９】
なお、第３実施形態のその他の構成は、第１実施形態と同様である。
【００５０】
第３実施形態では、上記のように、表示用副画素３０１ａおよび視野角用制御画素３０
１ｄのＸ方向に沿った長さ（Ｗ３）を長くするとともに、表示用副画素３０１ｃおよび視
野角用制御画素３０１ｄのＹ方向に沿った長さ（Ｌ３）を長くする場合においても、面積
が最も小さい表示用副画素３０１ｂに緑色を対応させることにより、確実に視野角を制御
しながら応答速度の低下を抑制することができる。
【００５１】
また、上記第３実施形態では、視野角制御用副画素のＸ方向およびＹ方向に沿った長さ
を長くする際に、視野角制御用副画素３０１ｄとともに表示用副画素３０１ａおよび３０
１ｃのＸ方向およびＹ方向に沿った長さもそれぞれ長くするので、画素１の外周形状を矩
形状に保った状態で視野角制御用副画素３０１ｄの面積を大きくすることができる。また
、この場合、緑色の表示用副画素３０１ｂの面積よりも赤色および青色の両方の表示用副
画素３０１ａおよび３０１ｃの面積を大きくすることにより視野角の制御性の低下を抑制
し、かつ、全体的な色のバランスが崩れるのを確実に抑制することができる。
【００５２】
なお、第３実施形態のその他の効果は、第１実施形態と同様である。
【００５３】
（第４実施形態）
第４実施形態では、図１０を参照して、第１実施形態の構成における画素トランジスタ
１７の上方に層間絶縁膜４０１を設けた例について説明する。
【００５４】
第４実施形態における液晶表示装置４００は、図１０に示すように、各副画素（図１０
では表示用副画素４０１ｃおよび視野角制御用副画素４０１ｄ）において、それぞれ、画
素トランジスタ１７を覆うパッシベーション膜１８の表面上に層間絶縁膜４０１が形成さ
れている。層間絶縁膜４０１の表面上には共通電極４１２が形成されているとともに、共
通電極４１２の表面上には共通電極４１２を覆うように絶縁膜４０２が形成されている。
そして、絶縁膜４０２の表面上には、スリット４１９ｂ（４１９ｄ）を有する画素電極４
１９ａ（４１９ｃ）が形成されている。
【００５５】
また、パッシベーション膜１８、層間絶縁膜４０１および絶縁膜４０２には、画素トラ
ンジスタ１７のドレイン電極１６にまで達するコンタクトホール４０３が形成されており
、画素電極４１９ａ（４１９ｃ）と画素トランジスタ１７のドレイン電極１６とは、コン
タクトホール４０３を介して電気的に接続されている。また、共通電極４１２には、コン
タクトホール４０３上の画素電極４１９ａ（４１９ｃ）と共通電極４１２とが接触するの
を抑制するための開口部４１２ａが形成されている。
【００５６】
なお、第４実施形態のその他の構成は第１実施形態と同様である。
【００５７】
第４実施形態では、上記のように、画素トランジスタ１７を覆うパッシベーション膜１
８の表面上に層間絶縁膜４０１を形成するとともに、層間絶縁膜４０１上に画素電極４１
９ａ（４１９ｃ）および共通電極４１２を形成する。このように構成することによって、
層間絶縁膜４０１を形成した分、液晶３０のギャップ長（第１基板１０および第２基板２
０間のギャップ長）を小さくすることができる。
【００５８】
なお、第４実施形態のその他の効果は、第１実施形態と同様である。
【００５９】
（第５実施形態）
第５実施形態では、図１１を参照して、第２実施形態の構成における画素トランジスタ
１７の上方に層間絶縁膜５０１を設けた例について説明する。
【００６０】
第５実施形態における液晶表示装置５００は、図１１に示すように、画素トランジスタ
１７を覆うパッシベーション膜１８の表面上に層間絶縁膜５０１が形成されている。表示
用副画素５０１ｃにおいては、層間絶縁膜５０１の表面上に共通電極５１２ａが形成され
ているとともに、共通電極５１２ａの表面上には絶縁膜５０２が形成されている。絶縁膜
５０２の表面上には、スリット５１９ｂを有する画素電極５１９ａが形成されている。ま
た、視野角制御用副画素５０１ｄにおいては、層間絶縁膜５０１の表面上に絶縁膜５０２
が形成されているとともに、絶縁膜５０２の表面上に画素電極５１９ｃが形成されている
。
【００６１】
また、表示用副画素５０１ｃおよび視野角制御用副画素５０１ｄのそれぞれの領域にお
いて、パッシベーション膜１８、層間絶縁膜５０１および絶縁膜５０２を貫通するように
コンタクトホール５０３が形成されているとともに、画素電極５１９ａ（５１９ｃ）と画
素トランジスタ１７のドレイン電極１６とがコンタクトホール５０３を介して電気的に接
続されている。また、表示用副画素５０１ｃの共通電極５１２ａには、コンタクトホール
５０３上の画素電極５１９ａと共通電極５１２ａとが接触するのを抑制するための開口部
５１２ｃが形成されている。視野角制御用副画素５０１ｄの第２基板２０側には、画素電
極５１９ｃに対向するように共通電極５１２ｂが形成されている。
【００６２】
なお、第５実施形態のその他の構成は第２実施形態と同様である。
【００６３】
第５実施形態では、上記のように、横電界型および縦電界型の駆動方式による組み合わ
せによる構成においても、画素トランジスタ１７を覆うパッシベーション膜１８の表面上
に層間絶縁膜５０１を形成することによって、層間絶縁膜５０１を形成した分、液晶３０
のギャップ長（第１基板１０および第２基板２０間のギャップ長）を小さくすることがで
きる。
【００６４】
なお、第５実施形態のその他の効果は、第２実施形態と同様である。
【００６５】
（第６実施形態）
第６実施形態では、図１２および図１３を参照して、本発明の第１〜第５実施形態のい
ずれかに示した液晶表示装置１００（２００、３００、４００、５００）を用いた電子機
器について説明する。
【００６６】
本発明の第１〜第５実施形態による液晶表示装置１００（２００、３００、４００、５
００）は、図１２および図１３に示すように、第６実施形態としての携帯電話６００およ
びＰＣ（パーソナルコンピュータ）７００などに用いることが可能である。図１２の携帯
電話６００においては、表示画面６００ａに液晶表示装置１００（２００、３００、４０
０、５００）が用いられる。また、図１３のＰＣ７００においては、表示画面７００ａお
よびタッチパネル形式のキーボード７００ｂなどの入力部などに用いることが可能である
。また、周辺回路を液晶パネル内の基板に内蔵することにより部品点数を大幅に減らすと
ともに、装置本体の軽量化および小型化を行うことが可能になる。
【００６７】
なお、今回開示された実施形態は、すべての点で例示であって制限的なものではない。
本発明の範囲は、上記した実施形態の説明ではなく特許請求の範囲によって示され、さら
に特許請求の範囲と均等の意味および範囲内でのすべての変更が含まれる。
【００６８】
たとえば、上記第１〜第５実施形態では、２行２列に配置された４つの副画素を含む画
素に本発明を適用する例を示したが、本発明はこれに限らず、複数行および複数列からな
る副画素から構成された画素であれば、２行２列以外の構成の画素にも適用可能である。
【００６９】
また、上記第１〜第５実施形態では、赤色、緑色および青色の３色を表示用副画素に適
用する例を示したが、本発明はこれに限らず、上記の色以外の色を適用してもよい。
【００７０】
また、上記第１、第３および第４実施形態においては、表示用副画素および視野角制御
用副画素の両方にＦＦＳモードを適用する例を示したが、本発明はこれに限らず、たとえ
ばＩＰＳモードなどのＦＦＳモード以外の横電界型の液晶表示装置においても適用可能で
ある。
【００７１】
また、上記第２および第５実施形態においては、表示用副画素にＦＦＳモードを適用さ
せるとともに、視野角制御用副画素に縦電界型の駆動方式を適用する例を示したが、本発
明はこれに限らず、少なくとも視野角制御用副画素が直線偏光を利用した駆動方式であれ
ば、上記の組み合わせ以外においても本発明を適用可能である。
【符号の説明】
【００７２】
１  画素      １ａ、１ｂ、１ｃ、２０１ａ、２０１ｂ、２０１ｃ、３０１ａ、３０１ｂ
、３０１ｃ、４０１ｃ、５０１ｃ  表示用副画素      １ｄ、２０１ｄ、３０１ｄ、４０
１ｄ、５０１ｄ  視野角制御用副画素      ２  ゲート線      ３  信号線      １０  
第１基板      １２、３１２、４１２  共通電極      １７  画素トランジスタ      １
９ａ、１９ｃ、３１９ａ、３１９ｃ、４１９ａ、４１９ｃ  画素電極      １９ｂ、１９
ｄ、２１９ｂ、２１９ｄ、３１９ｂ、３１９ｄ、４１９ｂ、４１９ｄ  スリット      ２
０  第２基板      ２１２ａ、５１２ａ  共通電極（第１共通電極）      ２１９ａ、５
１９ａ  画素電極（第１画素電極）      ２１２ｂ、５１２ｂ  共通電極（第２共通電極
）      ２１９ｃ、５１９ｃ  画素電極（第２画素電極）      １００、２００、３００
、４００、５００  液晶表示装置      ６００  携帯電話（電子機器）      ７００  Ｐ
Ｃ（電子機器）
【図１】
2010164728.tif 000003
【図２】
2010164728.tif 000004
【図３】
2010164728.tif 000005
【図４】
2010164728.tif 000006
【図５】
2010164728.tif 000007
【図６】
2010164728.tif 000008
【図７】
2010164728.tif 000009
【図８】
2010164728.tif 000010
【図９】
2010164728.tif 000011
【図１０】
2010164728.tif 000012
【図１１】
2010164728.tif 000013
【図１２】
2010164728.tif 000014
【図１３】
2010164728.tif 000015